(57)【要約】【課題】  本考案では、特別な装置を利用せずとも簡単に封をすることができ、一旦封をした後は容易に開封することができない密封容器を提供することを目的とする。【解決手段】  開示する密封容器は、外周に凸部を有する蓋と、内周に凹部を有する容器本体とを備える密封容器において、前記蓋の凸部と前記容器本体の凹部とが噛み合うことで、該容器本体が該蓋で密封されることを特徴とする。【選択図】図１
0003160032.tif 000002
【実用新案登録請求の範囲】
【請求項１】
外周に凸部を有する蓋と、内周に凹部を有する容器本体と、を備える密封容器において、
前記蓋の凸部と前記容器本体の凹部とが噛み合うことで、該容器本体が該蓋で密封されることを特徴とする密封容器。
【請求項２】
外周に凹部を有する蓋と、内周に凸部を有する容器本体とを備える密封容器において、
前記蓋の凹部と前記容器本体の凸部とが噛み合うことで、該容器本体が該蓋で密封されることを特徴とする密封容器。
【請求項３】
前記凹部は、二つの凸部の間に形成されることを特徴とする請求項１又は２に記載の密封容器。
【考案の詳細な説明】
【技術分野】
【０００１】
本考案は、蓋で容器を密封する密封容器の技術に関するものである。
【背景技術】
【０００２】
従来、容器本体に食物などの内容物を詰めた後、当該容器本体に蓋をして密封する技術がある（例えば、缶詰）。この技術においては、容器本体に内容物を詰めて蓋をする際、専用装置を利用して密封する。
【０００３】
一方、缶など容器に思い出の品を詰め、当該容器をタイムカプセルとして使用する場合や、容器にユーザ自身で内容物を詰め、独自の贈り物を作成する場合など、一般ユーザの手元で缶などの密封容器を作成するというニーズが存在する。従来、この場合、容器本体の開口部に該開口部より若干小さい蓋を押し込み、当該容器本体を密封する手法が取られている。
【考案の概要】
【考案が解決しようとする課題】
【０００４】
しかしながら、上記容器本体を密封する手法においては、容器本体に蓋を押し込む際大きな力を要するという問題点がある。
また、上記容器本体を密封する手法においては、密封した後であっても、容器本体から蓋を容易に離脱させ当該容器本体を開封することができるため、密封性保持の観点から問題がある。
【０００５】
さらには、密封後の容器本体から蓋を離脱させないようにするためには、専用の装置を利用して容器本体及び蓋を密封する必要があるが、一般ユーザがそのような装置を準備することは困難であるという問題点がある。
【０００６】
したがって、本考案では、上記問題点に鑑み、特別な装置を利用せずとも簡単に封をすることができ、一旦封をした後は容易に開封することができない密封容器を提供することを目的とする。
【課題を解決するための手段】
【０００７】
開示する密封容器の一形態は、外周に凸部を有する蓋と、内周に凹部を有する容器本体とを備える密封容器において、前記蓋の凸部と前記容器本体の凹部とが噛み合うことで、該容器本体が該蓋で密封されることを特徴とする。
【０００８】
また、開示する密封容器の一形態は、外周に凹部を有する蓋と、内周に凸部を有する容器本体とを備える密封容器において、前記蓋の凹部と前記容器本体の凸部とが噛み合うことで、該容器本体が該蓋で密封されることを特徴とする。
さらに、開示する上記密封容器の他形態において、前記凹部は、二つの凸部の間に形成されることを特徴とする。
【考案の効果】
【０００９】
開示する密封容器は、特別な装置を利用せずとも簡単に封をすることができ、一旦封をした後は容易に開封することができない。
【図面の簡単な説明】
【００１０】
【図１】実施例１における密封容器の全体図である。
【図２】実施例１における密封容器の特徴部分の拡大図である。
【図３】実施例１における密封容器の特徴部分の変形例である。
【図４】実施例２における密封容器の全体図である。
【図５】実施例２における密封容器の特徴部分の拡大図である。
【図６】実施例２における密封容器の特徴部分の変形例である。
【考案を実施するための形態】
【００１１】
図面を参照しながら、本考案を実施するための形態について説明する。
【実施例１】
【００１２】
図１乃至図３を用いて、本考案に係る密封容器１の実施例１における構造について説明する。図１は、実施例１における密封容器１全体の構成を示す図である。図１で示すように、密封容器１は、蓋２、容器本体３を有する。容器本体３は中空であり、当該中空部分に内容物を収納した後、図１中の矢印方向に蓋２を押し込むことによって、蓋２で容器本体３を密封する。
【００１３】
ここで図２は、実施例１における密封容器１の特徴部分の拡大図(密封容器１の側面方向の断面図)である。図２で示すように、蓋２は、蓋２で容器本体３に封をした際蓋２と容器本体３とが接する部位の外周上に凸部４を備えている。凸部４は、上記外周上を取り巻くように切れ目なく突起部が配置される構成（図１参照）であっても良いし、上記外周上の一か所以上に突起部が配置される構成であっても良い。ここで蓋２の材質は、ブリキ、スチール、アルミニウムなどの金属であっても良く、プラスチックであっても良い。また、蓋２の上記外周は、容器本体３へ蓋２を押し込む際の容易さを考慮し、内側に傾斜している。
【００１４】
また、図２で示すように、容器本体３は、蓋２で容器本体３に封をした際蓋２と容器本体３とが接する部位の内周上に凹部５を備えている。凹部５は、上記内周上を取り巻くように切れ目なく２つの突起部が配置される構成（図１参照）であっても良く、上記内周上の一か所以上に２つの突起部が配置される構成であっても良い。また、容器本体３の一形態として、容器本体３の開口部に、容器本体３をカールさせたカール部を設けても良い。ここで容器本体３の材質は、ブリキ、スチール、アルミニウムなどの金属であっても良く、プラスチック、ガラス、陶器など金属以外の成形可能な材料であっても良い。
【００１５】
一方、図３は実施例１における密封容器１の特徴部分の変形例を示す図である。図３で示すように、凹部５は、容器本体３上であって、蓋２で容器本体３に封をした際蓋２と容器本体３とが接する部位の内周上を取り巻くように切れ目なく溝状の窪みが配置される構成であっても良く、当該内周上の一か所以上に窪みが配置される構成であっても良い。
【００１６】
図１乃至図３を用いて、円柱形状の密封容器１について説明したが、密封容器１の形状は、円柱形状に限られず、四角柱などの角柱形状であっても良く、その他円錐・角錐など、実用新案登録請求の範囲に記載された本考案の要旨の範囲において、種々の変形・変更が可能である。
【００１７】
次に、密封容器１の使用方法について説明する。図１で示すように、容器本体３に対し蓋２を図１中矢印方向に押し込むと、凸部４と凹部５とが噛み合い、蓋２で密封本体３が密封されると共に、容器本体３から蓋２を容易に離脱させることができない状態となる。一方、密封本体３が蓋２で密封された後、密封容器１に収納した内容物を取り出す場合の方法としては、容器本体３の開口部に設けたカール部に、缶切りなどを適用して開封する方法、鋸などを用い容器本体３を物理的に破壊する方法などが考えられる。
【００１８】
上記のように使用することで密封容器１は、封をすることに大きな力を要しないため、どのようなユーザであっても容器本体３に封をすることができる。また、密封容器１は、凸部４と凹部５とが噛み合うことにより、容易に開封することのできない状態を保つことができる。さらに密封容器１は、外部装置を利用することなく、封をすることができるため、容器本体３に内容物を密封収納する際ユーザにとっての利便性が向上する。
【実施例２】
【００１９】
図４乃至図６を用いて、本考案に係る密封容器１の実施例２における構造について説明する。図４は、実施例２における密封容器１全体の構成を示す図である。図４で示すように、密封容器１は、蓋２、容器本体３を有する。容器本体３は中空であり、当該中空部分に内容物を収納した後、蓋２を図４中の矢印方向に押し込むことによって、蓋２で容器本体３を密封する。
【００２０】
ここで図５は、実施例２における密封容器１の特徴部分の拡大図(密封容器１の側面方向の断面図)である。図５で示すように、蓋２は、蓋２で容器本体３に封をした際蓋２と容器本体３とが接する部位の外周上に凹部５を備えている。凹部５は、上記外周上を取り巻くように切れ目なく２つの突起部が配置される構成（図４参照）であっても良く、上記外周上の一か所以上に２つの突起部で形作られる凹部が配置される構成であっても良い。ここで蓋２の材質は、ブリキ、スチール、アルミニウムなどの金属であっても良く、プラスチックであっても良い。また、蓋２の上記外周は、容器本体３へ蓋２を押し込む際の容易さを考慮し、内側に傾斜している。
【００２１】
また、図５で示すように、容器本体３は、蓋２で容器本体３に封をした際蓋２と容器本体３とが接する部位の内周上に凸部４を備えている。凸部４は、上記内周上を取り巻くように切れ目なく突起部が配置される構成（図４参照）であっても良いし、上記内周上の一か所以上に突起部が配置される構成であっても良い。また、容器本体３の一形態として、容器本体３の開口部に、容器本体３をカールさせたカール部を設けても良い。ここで容器本体３の材質は、ブリキ、スチール、アルミニウムなどの金属であっても良く、プラスチック、ガラス、陶器など金属以外の成形可能な材料であっても良い。
【００２２】
一方、図６は実施例２における密封容器１の特徴部分の変形例を示す図である。図６で示すように、凹部５は、蓋２上であって、蓋２で容器本体３に封をした際蓋２と容器本体３とが接する部位の外周上を取り巻くように切れ目なく溝状の窪みが配置される構成であっても良く、当該外周上の一か所以上に窪みが配置される構成であっても良い。
【００２３】
図４乃至図６を用いて、円柱形状の密封容器１について説明したが、密封容器１の形状は、円柱形状に限られず、四角柱など角柱形状であっても良く、その他円錐・角錐など、実用新案登録請求の範囲に記載された本考案の要旨の範囲において、種々の変形・変更が可能である。
【００２４】
次に、密封容器１の使用方法について説明する。図４で示すように、容器本体３に対し蓋２を図中の矢印方向へ押し込むと、凸部４と凹部５とが噛み合い、蓋２で密封本体３が密封されると共に、容器本体３から蓋２を容易に離脱させることができない状態となる。蓋２で密封本体３が密封された後、密封容器１に収納した内容物を取り出す場合の方法としては、容器本体３の開口部に設けたカール部に、缶切りなどを適用して開封する方法や、鋸などを用い容器本体３を物理的に破壊する方法などが考えられる。
【００２５】
上記のように使用することで密封容器１は、封をすることに大きな力を要しないため、どのようなユーザであっても容器本体３に容易に封をすることができる。また、密封容器１は、凸部４と凹部５とが噛み合うことにより、容易に開封することのできない状態を保つことができる。さらに密封容器１は、外部装置を利用することなく、封をすることができるため、容器に内容物を密封収納する際ユーザにとっての利便性が向上する。
【００２６】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２７】
１    密封容器
２    蓋
３    容器本体
４    凸部
５    凹部
【図１】
0003160032.tif 000003
【図２】
0003160032.tif 000004
【図３】
0003160032.tif 000005
【図４】
0003160032.tif 000006
【図５】
0003160032.tif 000007
【図６】
0003160032.tif 000008